(57)【要約】      （修正有）【課題】脚がしっかりと固定され、ぐらつきにくい机を提供する。【解決手段】机を、天板１０と、複数本の脚２０と、固定金具３０とを備えたものとし、それぞれの脚２０を、脚本体２１と、脚本体２１の上端部に形成された縮径部２２とから構成し、固定金具３０を、脚２０の縮径部２２を嵌め込んでその外周面を把持する複数の筒状部３２と、複数の筒状部３２を一体的に連結するとともに天板１０を補強する複数本の幕板３１とから構成した。筒状部３２にはその内部空間を上下に仕切る仕切壁を形成し、縮径部２２の上端面及び筒状部３２の前記仕切壁のそれぞれには上下方向のボルト穴を同軸上に形成した。縮径部２２を筒状部３２に下側から嵌め込んだ後、筒状部３２の上側から前記仕切壁のボルト穴及び縮径部２２のボルト穴へボルトＢ１を挿入して螺合し、脚２０を固定金具３０に固定する。【選択図】図１
2012115308.tif 000002
【特許請求の範囲】
【請求項１】
天板と、天板を所定高さに支持するための複数本の脚と、脚を天板に固定するための固定金具とを備えた机であって、
それぞれの脚が、脚本体と、脚本体の上端部に形成された縮径部とを備え、
固定金具が、それぞれの脚の縮径部を下側から嵌め込んで縮径部の外周面を把持する複数の筒状部と、複数の筒状部を一体的に連結するとともに天板を補強する複数本の幕板とを備え、
固定金具の筒状部にはその内部空間を上下に仕切る仕切壁が形成されるとともに、
脚の縮径部の上端面及び筒状部の仕切壁のそれぞれには上下方向のボルト穴が同軸上に形成され、
脚の縮径部を固定金具の筒状部に下側から嵌め込んだ後、筒状部の上側から仕切壁のボルト穴及び縮径部のボルト穴へ共通のボルトを挿入して螺合することにより、脚を固定金具に固定するようにしたことを特徴とする机。
【請求項２】
前記筒状部の内周形状及び前記縮径部の外周形状が互いに合同な多角形とされた請求項１記載の机。
【請求項３】
前記ボルトが、多角ボルト又は多角穴付きボルトとされた請求項１又は２記載の机。
【請求項４】
前記幕板が枠状に配され、その枠の角部に前記筒状部が配された請求項１〜３いずれか記載の机。
【発明の詳細な説明】
【技術分野】
【０００１】
本発明は、机に関する。
【背景技術】
【０００２】
天板と脚とを備えた机は、これまでに種々のものが提案されている。例えば、特許文献１には、天板に対して、脚を直接的に固定するようにした机が記載されている。この机は、部品点数が少なく低コストであることに加えて、組立が容易であるなどの利点がある。しかし、その一方で、この机は、ぐらつきやすいという欠点がある。場合によっては、脚が天板から外れるおそれもある。また、この机では、四角柱状など、円柱状でない形態の脚を用いた場合には、脚がねじれてその向きが変わった場合に、脚の回転方向の向きのずれが目立ちやすくなるため、脚の形態が円柱状に限定されるという欠点もあった。
【０００３】
また、特許文献２には、天板の下面に突起を設け、この突起に脚の上端部を嵌め込むことにより、脚を天板に固定するようにした机が記載されている。しかし、この机も、天板に対して脚が局所的に固定された構造となっていることには変わらず、ぐらつき防止という点では不十分であった。脚の形態が円柱状に限定されるという点も、特許文献１の机と同様である。
【０００４】
さらに、特許文献３には、天板の下側に幕板を枠状に設け、この枠の角部に脚の上端部を螺合するようにした机が記載されている。特許文献３には、脚を螺合するネジ穴を深く形成することで、天板に対して脚を強固に固定することができる旨も記載されている。しかし、この机も、使用するうちに脚が回転して前記螺合がゆるみ、ぐらつくようになるおそれがある。脚の形態が円柱状に限定されるという点も、特許文献１や特許文献２の机と同様である。
【先行技術文献】
【特許文献】
【０００５】
【特許文献１】特開平０７−２４１２１３号公報
【特許文献２】特開平０８−０１９４３０号公報
【特許文献３】実開昭４９−１４９８０１号公報
【発明の概要】
【発明が解決しようとする課題】
【０００６】
本発明は、上記課題を解決するためになされたものであり、脚がしっかりと固定され、ぐらつきにくい構造の机を提供するものである。また、長年使用しても脚の固定がゆるみにくい机を提供することも本発明の目的である。さらに、四角柱状など、円柱状以外の形態の脚でも好適に使用することができ、デザインの自由度の高い机を提供することも本発明の目的である。さらにまた、これらの特徴を有する机を、簡素な構造で低コストで提供することも本発明の目的である。
【課題を解決するための手段】
【０００７】
上記課題は、天板と、天板を所定高さに支持するための複数本の脚と、脚を天板に固定するための固定金具とを備えた机であって、それぞれの脚が、脚本体と、脚本体の上端部に形成された縮径部とを備え、固定金具が、それぞれの脚の縮径部を下側から嵌め込んで縮径部の外周面を把持する複数の筒状部と、複数の筒状部を一体的に連結するとともに天板を補強する複数本の幕板とを備え、固定金具の筒状部にはその内部空間を上下に仕切る仕切壁が形成されるとともに、脚の縮径部の上端面及び筒状部の仕切壁のそれぞれには上下方向のボルト穴が同軸上に形成され、脚の縮径部を固定金具の筒状部に下側から嵌め込んだ後、筒状部の上側から仕切壁のボルト穴及び縮径部のボルト穴へ共通のボルトを挿入して螺合することにより、脚を固定金具に固定するようにしたことを特徴とする机を提供することによって解決される。このように、それぞれの脚の上端部を、共通の固定金具に形成された筒状部に嵌め込んで固定することにより、脚を固定金具にしっかりと固定することができる。
【０００８】
本発明の机において、前記筒状部の内周形状及び前記縮径部の外周形状は、特に限定されないが、互いに合同（縮径部の外周形状が筒状部の内周形状よりも小さい場合であっても縮径部を筒状部に嵌め込んだ際に、縮径部が筒状部に対してぐらつかない程度であれば、「合同」の概念に含めるものとする。）な多角形（三角形、四角形、五角形、六角形など）とすると好ましい。これにより、縮径部が筒状部に対して回転しないようにすることができるので、脚と固定金具の固定がゆるまないようにすることが可能になる。また、脚が回転してその向きが変わるのを防ぐことも可能になる。この構成は、四角柱状など、円柱状以外の形態の脚を使用する場合に好適である。
【０００９】
また、本発明の机において、脚を固定金具に固定するための前記ボルトは、多角ボルト又は多角穴付きボルトを使用すると好ましい。これにより、前記ボルトをきつく締め付けることが可能になり、脚を固定金具に対してさらにしっかりと固定することが可能になる。さらに、本発明の机において、固定金具を構成する前記幕板は枠状に配し、その枠の角部に前記筒状部を配すると好ましい。これにより、各筒状部がしっかりと位置固定され、脚のぐらつきをより確実に防止できるようになるとともに、天板をバランスよく補強することも可能になる。
【発明の効果】
【００１０】
以上のように、本発明によって、脚がしっかりと固定され、ぐらつきにくい構造の机を提供することが可能になる。また、長年使用しても脚の固定がゆるみにくい机を提供することも可能になる。さらに、四角柱状など、円柱状以外の形態の脚でも好適に使用することができ、デザインの自由度の高い机を提供することも可能になる。さらにまた、これらの特徴を有する机を、簡素な構造で低コストで提供することも可能になる。
【図面の簡単な説明】
【００１１】
【図１】本発明の机を、天板と脚と固定金具とに分解した状態を示した斜視図である。
【図２】図１の机における脚の挿入部と固定金具の被挿入部の周辺を拡大した状態を示した斜視図である。
【図３】脚の挿入部を固定金具の被挿入部に挿入する前における挿入部と被挿入部の周辺を脚の中心軸を含む鉛直面で切断した状態を示した断面図である。
【図４】脚の挿入部を固定金具の被挿入部に挿入した後における挿入部と被挿入部の周辺を脚の中心軸を含む鉛直面で切断した状態を示した断面図である。
【図５】図１の机における脚を固定金具に固定した状態を示した斜視図である。
【図６】図５の机における天板を固定金具に固定した状態を示した斜視図である。
【発明を実施するための形態】
【００１２】
１．机の概要
本発明の机の好適な実施態様について、図面を用いてより具体的に説明する。図１は、本発明の机を、天板１０と脚２０と固定金具３０とに分解した状態を示した斜視図である。図２は、図１の机における脚２０の挿入部２２と固定金具３０の被挿入部３２の周辺を拡大した状態を示した斜視図である。図３は、脚２０の挿入部２２を固定金具３０の被挿入部３２に挿入する前における挿入部２２と被挿入部３２の周辺を脚２０の中心軸を含む鉛直面で切断した状態を示した断面図である。図４は、脚２０の挿入部２２を固定金具３０の被挿入部３２に挿入した後における挿入部２２と被挿入部３２の周辺を脚２０の中心軸を含む鉛直面で切断した状態を示した断面図である。図５は、図１の机における脚２０を固定金具３０に固定した状態を示した斜視図である。図６は、図５の机における天板１０を固定金具３０に固定した状態を示した斜視図である。
【００１３】
本実施態様の机は、図１に示すように、天板１０と、天板１０を所定高さに支持するための複数本の脚２０と、脚２０を天板１０に固定するための固定金具３０とを備えている。この机は、事務机や学習机などとしてだけでなく、ダイニングテーブルなど、様々なタイプの机として好適に使用することができる。本実施態様の机においては、天板１０の奥側の縁部周辺に、電気コードなどのケーブルを天板１０の下側から上側へ通すためのケーブル穴１１を設けている。このため、本実施態様の机は、パソコンデスクとして好適に使用することができるものとなっている。天板１０の形態は、特に限定されない。本実施態様の机においては、平面視矩形のシンプルなデザインの天板１０を使用しているが、他の形状のものを使用してもよい。例えば、平面視楕円形など、曲線を取り入れたスタイリッシュなデザインの天板１０を使用することもできる。
【００１４】
２．脚
脚２０の本数は、２本以上であれば特に限定されない。本実施態様の机においては、図１に示すように、平面視矩形状の天板１０の四隅部に脚２０を１本ずつ配しており、合計４本となっている。それぞれの脚２０は、脚２０の概形をなす柱状の脚本体２１と、脚本体２１の上端部に形成された縮径部２２と、脚本体２１の下端部に取り付けられた設置部２３とを備えている。脚本体２１は、図２に示すように、水平断面が正方形の金属製のパイプによって形成している。また、縮径部２２は、図３に示すように、水平断面が脚本体２１よりも一回り小さい正方形の金属製の有底パイプを逆向き（底が上側となる向き）で脚本体２１の内側に挿し込み、脚本体２１に対して溶接などすることにより一体化したものとなっている。縮径部２２には、図３に示すように、その内底面の中央部を上下方向に貫通するボルト穴２２ａが設けられており、ボルト穴２２ａの内側には、後述するボルトＢ１を螺合するためのナットＮを溶接などにより固定している。さらに、設置部２３は、ゴムや樹脂など、床面を傷つけにくい柔らかい素材で形成している。
【００１５】
縮径部２２を形成するパイプ（底の部分を含む。）は、変形しにくい厚めのものを使用すると好ましい。というのも、図４に示すように、縮径部２２には、ボルトＢ１が固定されるが、縮径部２２が変形しやすいと、ボルトＢ１を締めても縮径部２２が筒状部３２の内部でぐらつくおそれがあるからである。縮径部２２を形成するパイプの具体的な厚さは、該パイプの金属の種類によっても異なるが、通常、１．５ｍｍ以上、好ましくは１．８ｍｍ以上、より好ましくは２ｍｍ以上とされる。しかし、縮径部２２を形成するパイプの厚さは、あまり厚くしても意味がないため、通常、３ｍｍ以下とされる。本実施態様の机において、縮径部２２を形成するパイプの厚さは２．３ｍｍとしている。縮径部２２を形成するパイプは、その角部を凹ませたり、リブをつけるなどして、断面係数を増大させてもよい。脚本体２１や筒状部３２を形成するパイプの厚さは、縮径部２２よりも薄い１．６ｍｍとしている。
【００１６】
縮径部２２の長さ（脚本体２１の上端から上方へ突き出た部分の高さ）は、特に限定されない。しかし、縮径部２２を短くしすぎると、縮径部２２が筒状部３２に対してぐらつくおそれがある。このため、縮径部２２の長さは、通常、５ｍｍ以上とされる。縮径部２２の長さは、１０ｍｍ以上であると好ましく、１５ｍｍ以上であるとより好ましい。一方、縮径部２２を長くしすぎても、ぐらつき防止にはあまり意味がない。それどころか、縮径部２２を嵌め込む筒状部３２を長くする必要が生じてしまい、固定金具３０の運搬時などに省スペースしにくくなるおそれもある。このため、縮径部２２の長さは、通常、２００ｍｍ以下とされる。縮径部２２の長さは、１５０ｍｍ以下であってもよく、１００ｍｍ以下であってもよく、５０ｍｍ以下であってもよい。本実施態様の机において、縮径部２２の長さは２０ｍｍとしている。
【００１７】
３．固定金具
固定金具３０は、図１に示すように、それぞれの脚２０の縮径部２２を下側から嵌め込んで縮径部２２の外周面を把持する複数の金属製の筒状部３２と、複数の筒状部３２を一体的に連結するとともに天板１０を補強する複数本の金属製の幕板３１とで構成している。幕板３１は、４本が四角枠状に組み合わされて溶接などによって一体化されている。筒状部３２は、幕板３１で形成された四角枠の四隅部外方に溶接などによって１つずつ一体的に固定されている。固定金具３０の筒状部３２は、図３に示すように、金属製の周壁３２ａと、その内部空間を上下に仕切る金属製の仕切壁３２ｂとで構成されており、仕切壁３２ｂには、その中央部を上下方向に貫通するボルト穴３２ｃが形成されている。仕切壁３２ｂには、図４に示すように、ボルトＢ１が固定されるため、縮径部２２を形成するパイプと同様、厚めにすると好ましい。本実施態様の机において、仕切壁３２ｂの厚さは２．３ｍｍとしている。
【００１８】
ところで、筒状部３２には、脚本体２１を形成するパイプと同じ断面形状で同じ断面寸法のパイプを使用している。これにより、図４に示すように、筒状部３２に縮径部２２を嵌め込んだ際に、筒状部３２の外周面と脚本体２１の外周面とを連続した面一の状態とすることができ、机の見た目をシンプルにすることができる。また、筒状部３２の内周形状を縮径部２２の外周形状に容易に一致させることもできる。本実施態様の机において、筒状部３２の周壁３２ａの内周形状は、脚２０の縮径部２２の外周形状と合同な正方形となっている。このため、縮径部２２を筒状部３２に嵌め込んだ際に、縮径部２２が筒状部３２に対してぐらつかないだけでなく、縮径部２２を筒状部３２に対して捩じることができないようになっている。縮径部２２の捩じれを防止することにより、ボルトＢ１が緩むのを防止することができる。
【００１９】
４．組立方法
上述した本実施態様の机の組立方法について説明する。本実施態様の机は、図１に示すように、天板１０と脚２０と固定金具３０とが分離した状態から、まず、図５に示すように、脚２０を固定金具３０に固定することにより始める。脚２０を固定金具３０に固定するよりも前に、固定金具３０を天板１０に固定すると、天板１０が邪魔をしてボルトＢ１を固定金具３０に留めることができなくなるからである。脚２０の固定は、図２，３に示すように、脚２０の縮径部２２を固定金具３０の筒状部３２の下側から嵌め込んだ後、筒状部３２の上側からボルト穴３２ｃとボルト穴２２ａにボルトＢ１を挿入し、図４に示すように、ボルトＢ１の先端部をナットＮに螺合して、ボルトＢ１を締め付けることにより行う。ボルトＢ１は、通常のネジを用いてもよいが、本実施態様の机においては、六角穴付きボルトを使用している。これにより、ネジ穴を潰すことなく、ボルトＢ１をきつく締め付けることが可能となっている。本実施態様の机においては、さらにワッシャＷ１を用いており、締めつけられた後のボルトＢ１がゆるまないようにしている。図４に示す状態にあっては、脚本体２１を形成するパイプの上端面が筒状部３２を形成するパイプの下端面と突き当たった状態となっている。
【００２０】
４本の脚２０を全て固定金具３０に固定すると、続いて、図５に示すように、天板１０を固定金具３０の上に載せ、固定金具３０の下側からボルトＢ２を通すことにより、固定金具３０と天板１０を固定する。本実施態様の机においては、幕板３２で形成された四角枠の四隅部近傍にボルト穴（符号省略）を設けており、天板１０の四隅部が固定金具３０に固定されるようになっている。組立後の机を図６に示す。この机は、脚２０が固定金具３０に対してしっかりと固定されている。このため、本実施態様の机は、パソコンなどの重量物を載せて長年使用しても、ぐらつきにくいものとなっている。
【符号の説明】
【００２１】
１０    天板
１１    ケーブル穴
２０    脚
２１    脚本体
２２    縮径部
２２ａ  ボルト穴
２３    設置部
３０    固定金具
３１    幕板
３２    筒状部
３２ａ  周壁
３２ｂ  仕切壁
３２ｃ  ボルト穴
Ｂ１  ボルト
Ｂ２  ボルト
Ｎ    ナット
Ｗ１  ワッシャ
Ｗ２  ワッシャ
【図１】
2012115308.tif 000003
【図２】
2012115308.tif 000004
【図３】
2012115308.tif 000005
【図４】
2012115308.tif 000006
【図５】
2012115308.tif 000007
【図６】
2012115308.tif 000008